Podtech/llm-jp-corpus-v4-ja_patent huggingface dataset:
【手続補正書】
【提出日】平成23年8月1日(2011.8.1)
【手続補正１】
【補正対象書類名】明細書
【補正対象項目名】０１４０
【補正方法】変更
【補正の内容】
【０１４０】
次に、ステップＰ１９で中央制御装置３０より仮想マスタ・ジェネレータ６０に設定回転速度を送信する時間間隔をメモリＭ１９から読込んだ後、ステップＰ２０で前回の設定回転速度及び中央制御装置３０より仮想マスタ・ジェネレータ６０に設定回転速度を送信する時間間隔より、仮想の現在の回転位相の修正値を演算してメモリＭ２０に記憶する。つまり、前回の設定回転速度に中央制御装置３０より仮想マスタ・ジェネレータ６０に設定回転速度を送信する時間間隔を乗算して前回の設定回転速度の送信から今回の設定回転速度の送信までに進んだ仮想の回転位相を求め、仮想の現在の回転位相の修正値として記憶する。
【手続補正２】
【補正対象書類名】明細書
【補正対象項目名】０１９８
【補正方法】変更
【補正の内容】
【０１９８】
次に、ステップＰ１５９で下流側印刷ユニット群の回転位相の補正値をメモリＭ１７から読込んだ後、ステップＰ１６０で仮想の回転位相に下流側印刷ユニット群の回転位相の補正値を加算し、修正した下流側印刷ユニット群の仮想の現在の回転位相を演算してメモリＭ１８に記憶する。
【手続補正３】
【補正対象書類名】明細書
【補正対象項目名】０５０５
【補正方法】変更
【補正の内容】
【０５０５】
入出力装置１０３ｅには、上流側印刷ユニット群の現在の回転位相検出用カウンタ１１９を介して上流側印刷ユニット群の回転位相検出用ロータリ・エンコーダ２０Ａが接続される。入出力装置１０３ｆには、増減速時用カウンタ１２１を介して前記上流側印刷ユニット群の回転位相検出用ロータリ・エンコーダ２０Ａが接続される。入出力装置１０３ｇには、前記上流側印刷ユニット群の回転位相検出用ロータリ・エンコーダ２０Ａが接続される。
【手続補正４】
【補正対象書類名】明細書
【補正対象項目名】０５１７
【補正方法】変更
【補正の内容】
【０５１７】
入出力装置１０３ｏには、下流側印刷ユニット群の現在の回転位相検出用カウンタ１４０を介して下流側印刷ユニット群の回転位相検出用ロータリ・エンコーダ２０Ｂが接続される。入出力装置１０３ｐには、増減速時用カウンタ１４２を介して前記下流側印刷ユニット群の回転位相検出用ロータリ・エンコーダ２０Ｂに接続される。入出力装置１０３ｑには、前記下流側印刷ユニット群の回転位相検出用ロータリ・エンコーダ２０Ｂが接続される。
【手続補正５】
【補正対象書類名】明細書
【補正対象項目名】０９４４
【補正方法】変更
【補正の内容】
【０９４４】
次に、ステップＰ４１６で現在の設定回転速度に設定回転速度の補正値を加算し、指令回転速度を演算してメモリＭ１４２に記憶した後、ステップＰ４１７で下流側原動モータ・ドライバ１３８に、指令回転速度を出力してステップＰ３９７に戻る。
【手続補正６】
【補正対象書類名】図面
【補正対象項目名】図４Ａ
【補正方法】変更
【補正の内容】
【図４Ａ】
2010042603.tif 000001
【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
シリコン単結晶引上げ装置のチャンバ内に設置された石英ルツボにシリコン原料を溶解してシリコン融液を貯留し、前記石英ルツボに貯留したシリコン融液から棒状のシリコン単結晶を引上げるシリコン単結晶を製造する方法において、
前記シリコン原料を充填する前に、前記石英ルツボ内部の底部に円盤状又は底面が前記石英ルツボの底面に沿った形状を有する多結晶又は単結晶のシリコンブロックを配置することを特徴とするシリコン単結晶の製造方法。
【請求項２】
シリコン単結晶を引上げる際に石英ルツボ内部の底部に配置したシリコンブロックが完全に溶解する請求項１記載のシリコン単結晶の製造方法。
【請求項３】
シリコン原料を充填する前に石英ルツボ内部の底部に配置したシリコンブロックが引上げるシリコン単結晶の直径の０．８倍以上の直径を有し、かつ石英ルツボの内壁の直径より小さい直径を有する請求項２記載のシリコン単結晶の製造方法。
【請求項４】
シリコンブロックが２以上の複数のシリコンブロックである請求項１ないし３いずれか１項に記載のシリコン単結晶の製造方法。
【手続補正２】
【補正対象書類名】明細書
【補正対象項目名】００１６
【補正方法】変更
【補正の内容】
【００１６】
請求項３に係る発明は、請求項２に係る発明であって、シリコン原料を充填する前に石英ルツボ内部の底部に配置したシリコンブロックが引上げるシリコン単結晶の直径の０．８倍以上の直径を有し、かつ石英ルツボの内壁の直径より小さい直径を有するシリコン単結晶の製造方法である。
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
弾性材料により円筒状に形成された版本体の外周面の一部に版部が設けられ、版本体の内周に内向きに突出して軸方向にのびる係合部が形成されている版を装着するために、印刷機の版駆動軸に固定状に設けられる装置であって、
版駆動軸に固定状に設けられて外周に版駆動軸の先端側から版が装着される円筒状の版装着面を有する版シリンダ部を備えており、版シリンダ部の外周に、版駆動軸の先端側から版の係合部がはめられる周方向位置決め用みぞと、版の端部が当接する軸方向位置決め用ストッパと、版シリンダ部に装着された版の版部のない部分を径方向内側から径方向外側に押して版を版シリンダ部の版装着面に密着固定させる版固定部材とが設けられていることを特徴とする印刷機用版装着装置。
【請求項２】
版固定部材が、版シリンダ部の版装着面を含む円筒面より内側に没入した位置と外側に突出した位置との間を移動できて、かつ任意の位置に固定できるものであることを特徴とする請求項１の印刷機用版装着装置。
【請求項３】
版シリンダ部の外周の円筒面の周方向の一部が取り除かれて、版装着面を含む円筒面より径方向内側に位置する版固定部材装着面が形成されており、版固定部材装着面に形成された版固定部材用凹所に、版固定部材が径方向に移動しうるようにはめられていることを特徴とする請求項２の印刷機用版装着装置。
【請求項４】
版固定部材装着面の凹所の底に形成された楔部材用凹所に、径方向外側に楔面を有する楔部材が軸方向に移動しうるようにはめられ、版シリンダ部に、楔部材を軸方向に移動させて任意の位置に停止させるためのねじ手段が設けられ、版固定部材の径方向内側に楔部材の楔面と当接する楔面が形成され、版シリンダ部または楔部材と版固定部材との間に、永久磁石を用いて版固定部材を径方向内向きに付勢することにより版固定部材の楔面を楔部材の楔面に圧接させる付勢手段が設けられていることを特徴とする請求項３の印刷機用版装着装置。
【請求項５】
請求項１〜請求項４のいずれか１項の印刷機用版装着装置を備えていることを特徴とする印刷機。
【手続補正２】
【補正対象書類名】明細書
【補正対象項目名】００１０
【補正方法】変更
【補正の内容】
【００１０】
版装着装置に版を取り付けるときには、版固定部材が版を径方向外側に押さない状態にしておく。このような状態で、版の係合部が版シリンダ部のみぞにはまるように、版を版シリンダ部の外周に一端部からはめて、版の一端部をストッパに当接させる。これにより、版が、版シリンダ部の所定位置に正確にかつ簡単に取り付けられる。版の内径が版装着面の外径より大きく、版を取り付けるときには、版固定部材が版を径方向外側に押さない状態になっているので、版装着面と版の間に隙間があり、版を版シリンダ部に簡単に取り付けることができる。版が取り付けられたならば、版固定部材が版を径方向外側に押す状態にし、版を版装着面に密着させて固定する。このとき、版の係合部が版シリンダ部のみぞにはまり、版の一端部がストッパに当接することにより、版の周方向および軸方向の位置決めがなされ、版固定部材によりその位置に固定される。したがって、使用中に版シリンダ部に対して版の位置がずれることがない。
【手続補正３】
【補正対象書類名】明細書
【補正対象項目名】００２７
【補正方法】変更
【補正の内容】
【００２７】
上記の版装着装置において、たとえば、版固定部材装着面の凹所の底に形成された楔部材用凹所に、径方向外側に楔面を有する楔部材が軸方向に移動しうるようにはめられ、版シリンダ部に、楔部材を軸方向に移動させて任意の位置に停止させるためのねじ手段が設けられ、版固定部材の径方向内側に楔部材の楔面と当接する楔面が形成され、版シリンダ部または楔部材と版固定部材との間に、永久磁石を用いて版固定部材を径方向内向きに付勢することにより版固定部材の楔面を楔部材の楔面に圧接させる付勢手段が設けられている。
【手続補正４】
【補正対象書類名】明細書
【補正対象項目名】００５０
【補正方法】変更
【補正の内容】
【００５０】
ねじ部材(32)を押圧方向に回転させることにより、楔部材(28)が押圧側（後側）に移動し、それにより、版固定部材(24)が押圧側（径方向外側）に移動し、ねじ部材(32)を反対側の押圧解除方向に回転させることにより、楔部材(28)が押圧解除側（前側）に移動し、それにより、版固定部材(24)が押圧解除側（径方向内側）に移動する。版固定部材(24)は、最も押圧側に移動したときには、版装着面(14)を含む円筒面より径方向外側に突出し、最も押圧解除側に移動したときには、版装着面(14)を含む円筒面より径方向内側に没入するようになっている。ねじ部材(32)および楔部材(28)のめねじ(29)により、楔部材(28)を軸方向に移動させて任意の位置に固定するねじ手段が構成されている。
【手続補正５】
【補正対象書類名】明細書
【補正対象項目名】００５８
【補正方法】変更
【補正の内容】
【００５８】
【図１】図１は、この発明の実施形態を示す印刷機の版装着装置の縦断面図である。
【図２】図２は、版装着装置の正面図である。
【図３】図３は、版装着装置の一部を示す平面図である。
【図４】図４は、版装着装置の一部とそれに装着される前の版の一部を拡大して示した縦断面図である。
【図５】図５は、図１のＶ‐Ｖ線に沿う断面図（横断面図）である。
【図６】図６は、版とその製造工程を示す斜視図である。
【図７】図７は、図６の版形成前のシートの一部を拡大して示す側面図である。
【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
印刷システムであって、
複数の用紙を所定数ごとのサブセットに分別して印刷する印刷手段と、
印刷後の複数の前記サブセットに共通に適用される後処理を示す全体処理を設定する全体処理設定手段と、
前記全体処理設定手段によって設定された全体処理とともに設定可能な後処理であって、かつ、印刷後の前記サブセットごとに適用される後処理を示す個別処理を設定する個別処理設定手段と、
前記全体処理設定手段、及び前記個別処理設定手段によって設定された前記全体処理、及び前記個別処理を実行する後処理手段と
を備えることを特徴とする印刷システム。
【請求項２】
前記全体処理とともに設定可能な前記個別処理の組み合わせを定義した第１制限情報を記憶する記憶手段をさらに備え、
前記個別処理設定手段は、
前記第１制限情報を参照して、前記全体処理設定手段によって設定された前記全体処理に応じて設定可能な前記個別処理のみを選択可能に表示する選択画面を表示する表示制御手段と、
前記選択画面を介して入力された情報に基づいて前記個別処理を設定する設定手段と
を備えることを特徴とする請求項１に記載の印刷システム。
【請求項３】
前記個別処理とともに設定可能な前記全体処理の組み合わせを定義した第２制限情報を記憶する記憶手段をさらに備え、
前記個別処理設定手段は、
前記個別処理を選択可能に表示する選択画面を表示する表示制御手段と、
前記選択画面を介して入力された情報と、前記第２制限情報とに基づいて、前記個別処理を設定するとともに前記全体処理を変更する変更手段と
を備えることを特徴とする請求項１に記載の印刷システム。
【請求項４】
印刷システムであって、
複数の用紙を所定数ごとのサブセットに分別して印刷する印刷手段と、
印刷後の複数の前記サブセットごとに適用される後処理を示す個別処理を設定する個別処理設定手段と、
前記個別処理設定手段によって設定された個別処理とともに設定可能な後処理であって、かつ、印刷後の複数の前記サブセットに共通に適用される後処理を示す全体処理を設定する全体処理設定手段と、
前記個別処理設定手段、及び前記全体処理設定手段によって設定された前記個別処理、及び前記全体処理を実行する後処理手段と
を備えることを特徴とする印刷システム。
【請求項５】
前記個別処理とともに設定可能な前記全体処理の組み合わせを定義した第２制限情報を記憶する記憶手段をさらに備え、
前記全体処理設定手段は、
前記第２制限情報を参照して、前記個別処理設定手段によって設定された前記個別処理に応じて設定可能な前記全体処理のみを選択可能に表示する選択画面を表示する表示制御手段と、
前記選択画面を介して入力された情報に基づいて前記全体処理を設定する設定手段と
を備えることを特徴とする請求項４に記載の印刷システム。
【請求項６】
前記全体処理とともに設定可能な前記個別処理の組み合わせを定義した第１制限情報を記憶する記憶手段をさらに備え、
前記全体処理設定手段は、
前記全体処理を選択可能に表示する選択画面を表示する表示制御手段と、
前記選択画面を介して入力された情報と、前記第１制限情報とに基づいて、前記全体処理を設定するとともに前記個別処理を変更する変更手段と
を備えることを特徴とする請求項４に記載の印刷システム。
【請求項７】
印刷システムの制御方法であって、
印刷手段が、複数の用紙を所定数ごとのサブセットに分別して印刷する印刷ステップと、
全体処理設定手段が、印刷後の複数の前記サブセットに共通に適用される後処理を示す全体処理を設定する全体処理設定ステップと、
個別処理設定手段が、前記全体処理設定ステップにおいて設定された全体処理とともに設定可能な後処理であって、かつ、印刷後の前記サブセットごとに適用される後処理を示す個別処理を設定する個別処理設定ステップと、
後処理手段が、前記全体処理設定ステップ、及び前記個別処理設定ステップにおいて設定された前記全体処理、及び前記個別処理を実行する後処理ステップと
を実行することを特徴とする印刷システムの制御方法。
【請求項８】
印刷システムの制御方法であって、
印刷手段が、複数の用紙を所定数ごとのサブセットに分別して印刷する印刷ステップと、
個別処理設定手段が、印刷後の複数の前記サブセットごとに適用される後処理を示す個別処理を設定する個別処理設定ステップと、
全体処理設定手段が、前記個別処理設定ステップにおいて設定された個別処理とともに設定可能な後処理であって、かつ、印刷後の複数の前記サブセットに共通に適用される後処理を示す全体処理を設定する全体処理設定ステップと、
後処理手段が、前記個別処理設定ステップ、及び前記全体処理設定ステップによって設定された前記個別処理、及び前記全体処理を実行する後処理ステップと
を実行することを特徴とする印刷システムの制御方法。
【請求項９】
請求項７又は８に記載の印刷システムの制御方法をコンピュータに実行させるためのプログラム。
【手続補正２】
【補正対象書類名】明細書
【補正対象項目名】０００９
【補正方法】変更
【補正の内容】
【０００９】
また、本発明は、例えば、印刷システムの制御方法として実現できる。制御方法は、印刷手段が、複数の用紙を所定数ごとのサブセットに分別して印刷する印刷ステップと、全体処理設定手段が、印刷後の複数のサブセットに共通に適用される後処理を示す全体処理を設定する全体処理設定ステップと、個別処理設定手段が、全体処理設定ステップにおいて設定された全体処理とともに設定可能な後処理であって、かつ、印刷後のサブセットごとに適用される後処理を示す個別処理を設定する個別処理設定ステップと、後処理手段が、全体処理設定ステップ、及び個別処理設定ステップにおいて設定された全体処理、及び個別処理を実行する後処理ステップとを実行することを特徴とする。
【手続補正３】
【補正対象書類名】明細書
【補正対象項目名】００１０
【補正方法】変更
【補正の内容】
【００１０】
また、本発明は、例えば、印刷システムの制御方法として実現できる。制御方法は、印刷手段が、複数の用紙を所定数ごとのサブセットに分別して印刷する印刷ステップと、個別処理設定手段が、印刷後の複数のサブセットごとに適用される後処理を示す個別処理を設定する個別処理設定ステップと、全体処理設定手段が、個別処理設定ステップにおいて設定された個別処理とともに設定可能な後処理であって、かつ、印刷後の複数のサブセットに共通に適用される後処理を示す全体処理を設定する全体処理設定ステップと、後処理手段が、個別処理設定ステップ、及び全体処理設定ステップによって設定された個別処理、及び全体処理を実行する後処理ステップとを実行することを特徴とする。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
回転操作を行うための操作器具が係合される係合部を有し締結に必要なトルクよりさらに大きいトルクで回転させると破断して分離し得る部位である分離部が頭部に形成されたネジによって、２以上の構成部材が連結された遊技機であって、
分離した前記分離部を除去可能となるように遊技機の所定箇所に保持する付勢手段を備えることを特徴とする遊技機。
【請求項２】
前記破断ネジにおける頭部を少なくとも前記操作器具によって操作される側から覆う壁を有するとともに前記分離部が通過し得ず前記操作器具を挿通し得る操作孔を有する規制手段を備え、
前記付勢手段は、分離した後の分離部を、破断ネジの頭部における軸部側に残留した部分と前記規制手段における操作孔との間の位置に保持することを特徴とする請求項１に記載の遊技機。
【請求項３】
前記規制手段が、破断ネジの頭部を側方から覆う側面部を有し、
前記側面部から内側へ延出して破断ネジの分離部に対し付勢力を加える弾性片が設けられていることを特徴とする請求項２に記載の遊技機。
【請求項４】
前記側面部が、破断ネジの頭部を両側から覆う位置にそれぞれ設けられ、両側面部には弾性片がそれぞれ設けられ、両弾性片が、破断ネジの分離部に対し互いに不均等な付勢力を加えることを特徴とする請求項３に記載の遊技機。
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
増加した機能を有する精子を得るために精子を希釈するための方法であって、精子を含む試料を、ガラクツロン酸またはアラビノガラクタンのいずれかを含有する平衡塩類溶液を含む溶液と接触させることにより、増加した機能を有する精子を得る工程を含む、方法。
【請求項２】
増加した機能が、良好な精子運動性を含む、請求項１に記載の方法。
【請求項３】
前記溶液が、平衡塩類溶液およびアラビノガラクタンを含む、請求項１または２に記載の方法。
【請求項４】
明細書に記載の培地。
【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
表示状態が変化可能な可変表示装置を含み、前記可変表示装置の表示結果が特定の表示態様となった場合に遊技者にとって有利な特定遊技状態に制御可能な遊技機であって、
前記遊技機の遊技状態を制御する遊技制御手段と、
前記可変表示装置を可変表示させた後表示結果を導出表示させる制御を行なう可変表示制御手段とを備え、
前記遊技制御手段は、
前記可変表示装置の表示結果を決定するための表示結果決定手段と、
前記可変表示装置の可変開始から表示結果を導出表示するまでの時間を含む可変表示内容を決定するための可変表示内容決定手段とを含み、
前記可変表示装置の可変表示が開始するタイミングで前記表示結果を特定する表示結果コマンドと前記可変表示内容を特定する表示内容コマンドとを出力するとともに、前記可変表示装置の表示結果を導出表示するタイミングで可変表示終了コマンドを出力し、
前記可変表示制御手段は、
前記表示内容コマンドのみからは特定されない表示演出である特定表示ファクタを、前記表示結果コマンドと前記表示内容コマンドとの組合わせを基に導き出す特定表示ファクタ導出手段を含み、さらに、
前記可変表示終了コマンドの出力されるタイミングで前記可変表示装置の表示結果を導出表示させることを特徴とする、遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】変更
【補正の内容】
【０００４】
この発明の目的の１つは、上記従来の技術を改良した遊技機を提供することである。
【手続補正４】
【補正対象書類名】明細書
【補正対象項目名】０００５
【補正方法】変更
【補正の内容】
【０００５】
上述の目的を達成するためにこの発明のある局面に従うと、請求項１に記載の発明は、表示状態が変化可能な可変表示装置を含み、前記可変表示装置の表示結果が特定の表示態様となった場合に遊技者にとって有利な特定遊技状態に制御可能な遊技機であって、
前記遊技機の遊技状態を制御する遊技制御手段と、
前記可変表示装置を可変表示させた後表示結果を導出表示させる制御を行なう可変表示制御手段とを備え、
前記遊技制御手段は、
前記可変表示装置の表示結果を決定するための表示結果決定手段と、
前記可変表示装置の可変開始から表示結果を導出表示するまでの時間を含む可変表示内容を決定するための可変表示内容決定手段とを含み、
前記可変表示装置の可変表示が開始するタイミングで前記表示結果を特定する表示結果コマンドと前記可変表示内容を特定する表示内容コマンドとを出力するとともに、前記可変表示装置の表示結果を導出表示するタイミングで可変表示終了コマンドを出力し、
前記可変表示制御手段は、
前記表示内容コマンドのみからは特定されない表示演出である特定表示ファクタを、前記表示結果コマンドと前記表示内容コマンドとの組合わせを基に導き出す特定表示ファクタ導出手段を含み、さらに、
前記可変表示終了コマンドの出力されるタイミングで前記可変表示装置の表示結果を導出表示させることを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
樹脂板の両面それぞれに平膜が配され、前記平膜の周縁部が全周にわたり前記樹脂板に溶着されてなる膜エレメントの製造方法であって、前記樹脂板の両面それぞれの全周にわたり０．７ｍｍ以上５．０ｍｍ以下の高さの２本以上の連続した線状突起を設け、前記樹脂板の上に前記平膜を配置した後、エネルギー源を前記平膜を介して前記線状突起に押し当てて、前記線状突起と前記平膜とを溶着させることを特徴とする、膜エレメントの製造方法。
【請求項２】
前記線状突起の長手方向に直交する横断面の幅は、その底部において最大であることを特徴とする、請求項１に記載の膜エレメントの製造方法。
【請求項３】
前記線状突起の高さは、前記線状突起の長手方向に直交する横断面の底辺の５０〜３００％であることを特徴とする請求項１または２に記載の膜エレメントの製造方法。
【請求項４】
前記樹脂板の両面それぞれの周縁部の全周にわたり、連続した線状突起が２本設けられた場合であって、前記線状突起の長手方向に直交する前記樹脂板の横断面において、前記線状突起２本の間に形成される谷部の断面積が、前記線状突起の長手方向に直交する横断面２つの面積の和に対して２５〜１５０％であることを特徴とする、請求項１〜３のいずれかに記載の膜エレメントの製造方法。
【請求項５】
前記樹脂板の上の前記線状突起の内側に隣接して充填材を設けることを特徴とする、請求項１〜４のいずれかに記載の膜エレメントの製造方法。
【請求項６】
樹脂板の両面それぞれに平膜が配され、前記平膜の周縁部が全周にわたり前記樹脂板に溶着されてなる膜エレメント用の樹脂板であって、樹脂板の両面それぞれに、全周にわたり０．７ｍｍ以上５．０ｍｍ以下の高さの２本以上の連続した線状突起が設けられていることを特徴とする樹脂板。
【手続補正２】
【補正対象書類名】明細書
【補正対象項目名】発明の名称
【補正方法】変更
【補正の内容】
【発明の名称】膜エレメントの製造方法および樹脂板
【手続補正３】
【補正対象書類名】明細書
【補正対象項目名】０００８
【補正方法】変更
【補正の内容】
【０００８】
本発明の目的は、この問題に対し、周縁部全周に渡って平膜の固定部の疲労破壊を長期的に防止でき、かつ、溶着のつなぎ目での溶着不足、または過度の溶着による膜破損を回避して液密性を保つことでき、さらに生産効率がよい膜エレメントの製造方法を提供することにある。
【手続補正４】
【補正対象書類名】明細書
【補正対象項目名】０００９
【補正方法】変更
【補正の内容】
【０００９】
本発明は上記の目的を達成するために、以下に述べる構成からなる。すなわち、
（１）樹脂板の両面それぞれに平膜が配され、前記平膜の周縁部が全周にわたり前記樹脂板に溶着されてなる膜エレメントの製造方法であって、前記樹脂板の両面それぞれの全周にわたり０．７ｍｍ以上５．０ｍｍ以下の高さの２本以上の連続した線状突起を設け、前記樹脂板の上に前記平膜を配置した後、エネルギー源を前記平膜を介して前記線状突起に押し当てて、前記線状突起と前記平膜とを溶着させることを特徴とする膜エレメントの製造方法。
（２）前記線状突起の長手方向に直交する横断面の幅は、その底部において最大であることを特徴とする、（１）に記載の膜エレメントの製造方法。
（３）前記線状突起の高さは、前記線状突起の長手方向に直交する横断面の底辺の５０〜３００％であることを特徴とする（１）または（２）に記載の膜エレメントの製造方法。
（４）前記樹脂板の両面それぞれの周縁部の全周にわたり連続した線状突起が２本設けられた場合であって、前記線上突起の長手方向に直交する前記樹脂板の横断面において、前記線状突起２本の間に形成される谷部の断面積が、前記線状突起の長手方向に直交する横断面２つの面積の和に対して２５〜１５０％であることを特徴とする（１）〜（３）のいずれかに記載の膜エレメントの製造方法。
（５）前記樹脂板の上の前記前記線状突起の内側に隣接して充填材を設けることを特徴とする、（１）〜（４）のいずれかに記載の膜エレメントの製造方法。
（６）樹脂板の両面それぞれに平膜が配され、前記平膜の周縁部が全周にわたり前記樹脂板に溶着されてなる膜エレメント用の樹脂板であって、両面それぞれの全周にわたり０．７ｍｍ以上５．０ｍｍ以下の高さの２本以上の突起が設けられていることを特徴とする樹脂板。
【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
水溶性タイプのブロックイソシアネートと水溶性ポリウレタン樹脂とを含むインキが塗布されていることを特徴とする発泡ポリプロピレン熱ラミ用の透明ポリプロピレンシート。
【請求項２】
水溶性ポリウレタン樹脂が、アニオン性コロイド分散ポリウレタン樹脂である請求項１に記載の透明ポリプロピレンシート。
【請求項３】
発泡ポリプロピレンシートに、請求項１又は２に記載の透明ポリプロピレンシートが積層されていることを特徴とする食品容器用発泡ポリプロピレンシート。
【請求項４】
発泡ポリプロピレンシートに、請求項１又は２に記載の透明ポリプロピレンシートを積層して食品容器用発泡ポリプロピレンシートを製造する方法において、上記積層を１３０℃〜２２０℃の熱ロールにて行い、インキ層中の残留溶剤を揮発させることを特徴とする食品容器用発泡ポリプロピレンシートの製造方法。
【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
成形された立上がりを有する円盤状底部材と筒状フィルムが溶着された円柱状の有底袋の製造方法において、筒状フィルムの直径よりも小さな径の保持具のシール受けに底部材の立上がり部を被せて保持し、該底部材に筒状フィルムを被せて、該筒状フィルムをシール予定位置に移動した状態で第一溶着を行い、次いで該第一溶着した有底袋を四分の一回転させて第二溶着を行うことを特徴とする円柱状有底袋の製造方法。
【請求項２】
成形された立上がりを有する円盤状底部材と筒状フィルムが溶着された円柱状の有底袋の製造方法において、筒状フィルムの直径よりも若干小さな径の円筒状の保持具の頭部に該直径方向に拡張可能なシール受けに底部材の立上がり部を被せて保持し、該底部材に筒状フィルムを被せて、該筒状フィルムをシール予定位置に移動し、前記保持具の頭部のシール受けを直径方向に拡張させ、拡張させた状態で第一溶着を行い、次いで該第一溶着した有底袋を四分の一回転させて第二溶着を行うことを特徴とする円柱状有底袋の製造方法。
【請求項３】
成形された立上がりを有する円盤状底部材と筒状フィルムが溶着された円柱状の有底袋の製造装置において、筒状フィルムの直径よりも小さな径の保持具のシール受け及びシール機構を具有し、前記底部材を前記シール受けに被せて保持させる工程、該底部材に前記筒状フィルムを被せて、該底部材と該筒状フィルムのシール位置に移動する工程、該底部材と該筒状フィルムをシールする第一シール工程、第一シールした有底袋を所定の回転移動させる工程、未シールをシールする第二シール工程、保持具から円柱状の有底袋を取出す工程を有することを特徴とする円柱状有底袋の製造装置。
【請求項４】
成形された立上がりを有する円盤状底部材と筒状フィルムが溶着された円柱状の有底袋の製造装置において、筒状フィルムの直径よりも若干小さな径の円筒状の保持具を具有し、該保持具の頭部に直径方向に拡張可能な複数に分割されたシール受けを具有し、前記底部材を前記シール受けに被せて保持させる工程、該底部材に前記筒状フィルムを被せて、該底部材と該筒状フィルムのシール位置に移動する工程、前記シール受けを拡張させる工程、該底部材と該筒状フィルムをシールする第一シール工程、第一シールした有底袋を所定の回転移動させる工程、未シールをシールする第二シール工程、保持具から円柱状の有底袋を取出す工程を有することを特徴とする円柱状有底袋の製造装置。
【請求項５】
請求項１又は２記載の円柱状有底袋の製造方法又は、請求項３又は４記載の円柱状有底袋の製造装置により作られた円柱状有底袋にペースト状食品を筒状フィルムの底部材シールとは逆側の該フィルム開口から充填し、該筒状フィルムが扁平に折り畳まれてヒートシールすることによって密封されていることを特徴とするペースト状物封入円柱状有底袋食品。
【請求項６】
前記円柱状有底袋の底部材に複数の開口弁を設け、剥離可能なるフィルムで密封されている請求項５記載のペースト状物封入円柱状有底袋食品。
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、左右方向に並べて設置された３以上の可変表示部において各々が識別可能な複数種類の識別情報を変動表示させる可変表示装置に表示結果が導出されることにより１ゲームが終了し、該可変表示装置に導出された表示結果に応じて入賞が発生可能であるスロットマシンにおいて、
ゲーム毎に前記可変表示装置の表示結果が導出されるより前に、通常遊技状態よりも遊技者にとって有利な特別遊技状態への移行を伴う特別表示結果と該特別遊技状態への移行を伴わない所定の特殊表示結果とを含む複数種類の入賞表示結果の導出を許容するか否かを決定する事前決定手段と、
前記３以上の可変表示部における識別情報の変動表示をそれぞれ停止させるために遊技者により操作される複数の停止操作手段と、
前記事前決定手段の決定結果と前記複数の停止操作手段の操作手順とに応じて前記可変表示装置に表示結果を導出させる導出制御手段と、
前記特別表示結果の導出を許容する旨が決定され、該決定に基づいて該特別表示結果が導出されないときに、該特別表示結果の導出を許容する旨の決定を次ゲーム以降に持ち越す特別決定持越手段と、
前記可変表示装置の表示結果として前記特別表示結果が導出されたときに、前記特別遊技状態に遊技状態を制御する特別遊技状態制御手段とを備え、
前記特殊表示結果は、前記３以上の可変表示部のうちで両端以外にある特殊可変表示部に前記複数種類の識別情報のうちで予め定められた特殊識別情報が導出されたときに、入賞の発生となる表示結果であり、
前記導出制御手段は、前記特別表示結果の導出を許容する旨が決定されていること、または前記特殊表示結果の導出を許容する旨が決定されていることを条件として、前記３以上の可変表示部のうちで何れか一端にある特定可変表示部に、特定の種類の識別情報を導出させる
ことを特徴とするスロットマシン。
【手続補正２】
【補正対象書類名】明細書
【補正対象項目名】００１０
【補正方法】変更
【補正の内容】
【００１０】
上記目的を達成するため、本発明にかかるスロットマシンは、
遊技用価値を用いて１ゲームに対して所定数の賭数を設定することによりゲームを開始させることが可能となり、左右方向に並べて設置された３以上の可変表示部（リール３Ｌ、３Ｃ、３Ｒ）において各々が識別可能な複数種類の識別情報を変動表示させる可変表示装置（可変表示装置２）に表示結果が導出されることにより１ゲームが終了し、該可変表示装置に導出された表示結果に応じて入賞が発生可能であるスロットマシン（スロットマシン１）において、
ゲーム毎に前記可変表示装置の表示結果が導出されるより前に、通常遊技状態よりも遊技者にとって有利な特別遊技状態（レギュラーボーナス、ビッグボーナス）への移行を伴う特別表示結果（レギュラーボーナス、ビッグボーナス（１）、ビッグボーナス（２））と該特別遊技状態への移行を伴わない所定の特殊表示結果（チェリー）とを含む複数種類の入賞表示結果の導出を許容するか否かを決定する事前決定手段（ステップＳ１０３）と、
前記３以上の可変表示部における識別情報の変動表示をそれぞれ停止させるために遊技者により操作される複数の停止操作手段（停止ボタン１２Ｌ、１２Ｃ、１２Ｒ）と、
前記事前決定手段の決定結果と前記複数の停止操作手段の操作手順とに応じて前記可変表示装置に表示結果を導出させる導出制御手段（ステップＳ１０４）と、
前記特別表示結果の導出を許容する旨が決定され、該決定に基づいて該特別表示結果が導出されないときに、該特別表示結果の導出を許容する旨の決定を次ゲーム以降に持ち越す特別決定持越手段（ステップＳ２２１）と、
前記可変表示装置の表示結果として前記特別表示結果が導出されたときに、前記特別遊技状態に遊技状態を制御する特別遊技状態制御手段（ステップＳ１０５）とを備え、
前記特殊表示結果は、前記３以上の可変表示部のうちで両端以外にある特殊可変表示部（中リール３Ｃ）に前記複数種類の識別情報のうちで予め定められた特殊識別情報（チェリー）が導出されたときに、入賞の発生となる表示結果であり、
前記導出制御手段は、前記特別表示結果の導出を許容する旨が決定されていること、または前記特殊表示結果の導出を許容する旨が決定されていることを条件として、前記３以上の可変表示部のうちで何れか一端にある特定可変表示部（左リール３Ｌ）に、特定の種類の識別情報（チェリー）を導出させる
ことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
上記スロットマシンにおいて、
前記特定可変表示部は、前記３以上の可変表示部のうちで前記スロットマシンに向かって最も左側にある可変表示部（左リール３Ｌ）とすることができる。
【手続補正９】
【補正対象書類名】明細書
【補正対象項目名】００１７
【補正方法】変更
【補正の内容】
【００１７】
この場合、一般的な順番で３以上の可変表示部における変動表示が停止されるのであれば、特別表示結果の導出を許容する旨が決定されていることを期待できるかどうか、すなわち特定可変表示部に特定の種類の識別情報が導出されるかどうかは、最初に識別情報の変動表示が停止される可変表示部から判明することとなる。このため、１ゲームの早い時点から遊技者に期待感を与えることができ、遊技の興趣を向上させることができる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
上記スロットマシンは、前記複数の停止操作手段よりも前記スロットマシンに向かって左側に配置され、前記３以上の可変表示部における識別情報の変動表示を開始させるために遊技者により操作される開始操作手段（スタートレバー１１）をさらに備えるものとしてもよい。この場合、ゲームを行う際には遊技者は最初に開始操作手段を操作する必要があるので、自然な流れとして開始操作手段に近い方から順に、すなわちスロットマシンに向かって左から右の順に複数の停止操作手段が操作されるものとなる。
【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
組成物であって、配列番号２５０、２４８および２５２のいずれか１つのアミノ酸配列に対して６０％より多くの配列同一性を有するアミノ酸配列を含むタンパク質、の少なくとも１つを含む、前記組成物。
【請求項２】
少なくとも１つのタンパク質が、
（ａ）配列番号２５０、２４８および２５２のいずれか１つのアミノ酸配列に対して９０％より多くの配列同一性を有するアミノ酸配列を含む；または
（ｂ）配列番号２４９、２４７および２５１のいずれか１つの核酸配列を有するポリヌクレオチドによりコードされる；
請求項１に記載の組成物。
【請求項３】
少なくとも１つのタンパク質が、配列番号２５０、２４８および２５２のいずれか１つのアミノ酸配列を含む、請求項１に記載の組成物。
【請求項４】
少なくとも１つのタンパク質が、脂質化されている、または脂質化されていない、請求項１ないし３のいずれか１項に記載の組成物。
【請求項５】
少なくとも１つのタンパク質が、組換えタンパク質である、請求項１ないし４のいずれか１項に記載の組成物。
【請求項６】
組成物が、医薬的に受容可能なバッファー、希釈剤、アジュバントまたは単体を付加的に含む、請求項１ないし５のいずれか１項に記載の組成物。
【請求項７】
アジュバントが水酸化アルミニウムまたはリン酸アルミニウムである、請求項６に記載の組成物。
【請求項８】
組成物が他の活性な免疫原を付加的に含む、請求項１ないし７のいずれか１項に記載の組成物。
【請求項９】
組成物が他のナイセリア属の種（Neisseria species）の免疫原性ポリペプチドを付加的に含む、請求項１ないし７のいずれか１項に記載の組成物。
【請求項１０】
組成物が、ナイセリア属の種（Neiseria species）のオープンリーディングフレーム（ＯＲＦ２０８６）によりコードされるタンパク質であって、該オープンリーディングフレームは交差反応性の免疫原性抗原をコードし、そして該交差反応性の免疫原性抗原は被験者における髄膜炎菌血清群Ｂ（Neisseria meningitides serogroup B）による感染に対して免疫原性を提供する前記タンパク質、の少なくとも１つを付加的に含む、請求項１ないし７のいずれか１項に記載の組成物。
【請求項１１】
ナイセリア属の種のＯＲＦ２０８６のオープンリーディングフレームによりコードされる少なくとも１つのタンパク質が、髄膜炎菌血清群ＢのサブファミリーＡに属する、請求項９に記載の組成物。
【請求項１２】
組成物が、ＰｏｒＡ、ＰｏｒＢ、トランスフェリン結合タンパク質、opacityタンパク質（Ｏｐｃ）の少なくとも１つ、または、ナイセリア属の種の付加的な表面抗原であって、非ＯＲＦ２０８６タンパク質である該付加的な表面抗原の少なくとも１つ、を付加的に含む、請求項１ないし１１のいずれか１項に記載の組成物。
【請求項１３】
組成物が多糖を付加的に含む、請求項１ないし１２のいずれか１項に記載の組成物。
【請求項１４】
配列番号２４９、２４７および２５１のヌクレオチド配列のいずれか１つに対して少なくとも９０％の同一性を有する、単離されたポリヌクレオチド。
【請求項１５】
組成物であって、以下：
（ａ）配列番号２５０、２４８、および２５２のいずれか１つのアミノ酸配列を含むタンパク質の少なくとも１つをコードする、少なくとも１つのポリヌクレオチド；または
（ｂ）（ａ）に記載のポリヌクレオチドのいずれかに対してストリンジェントな条件下でハイブリダイズする、少なくとも１つのポリヌクレオチド；
を含む、前記組成物。
【請求項１６】
少なくとも１つのポリヌクレオチドが、配列番号２４９、２４７、および２５１のいずれか１つの核酸配列を含む、請求項１５に記載の組成物。
【請求項１７】
配列番号２５０、２４８および２５２のいずれか１つのアミノ酸配列を含むタンパク質と免疫特異的に結合する抗体の少なくとも１つを含む組成物。
【請求項１８】
ベクターであって、プロモーター配列およびイニシエーター配列を有する発現コントロール配列、ならびに配列番号２５０、２４８、および２５２のいずれか１つのポリペプチドをコードするヌクレオチド配列を含み、該ヌクレオチド配列は該プロモーター及びイニシエーター配列の３’側に位置する、前記ベクター。
【請求項１９】
請求項１８に記載のベクターを含む宿主細胞。
【請求項２０】
配列番号２５０、２４８、および２５２のいずれか１つのアミノ酸配列を含むポリペプチドの少なくとも１つをコードする核酸配列を発現する組換え細胞を含む、形質転換／トランスフェクトまたは感染させた細胞株。
【請求項２１】
配列番号２４８、２５０、及び２５２のいずれか１つのアミノ酸配列を含むタンパク質の少なくとも１つをコードする核酸配列を、宿主細胞において発現させることを含む、組成物の調製法。
【請求項２２】
薬剤として使用するための、請求項１ないし１７のいずれか１項に記載の組成物。
【請求項２３】
哺乳類において免疫応答を誘導するための、またはヒトにおける髄膜炎菌感染を改善または予防するための、請求項１ないし１７のいずれか１項に記載の組成物。
【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
図５２７（配列番号５２７）に示すヌクレオチド配列に対し、少なくとも８０％の核酸配列同一性を有する単離された核酸。
【請求項２】
図５２７（配列番号５２７）に示すヌクレオチド配列の完全長コード化配列からなるヌクレオチド配列に対し、少なくとも８０％の核酸配列同一性を有する単離された核酸。
【請求項３】
図５２７に示すヌクレオチド配列からなる単離された核酸。
【請求項４】
請求項１に記載の核酸を含んでなるベクター。
【請求項５】
ベクターで形質転換した宿主細胞によって認識される制御配列に作用可能に結合する請求項４に記載のベクター。
【請求項６】
請求項４に記載のベクターを有する宿主細胞。
【請求項７】
ＣＨＯ細胞、大腸菌細胞又は酵母細胞である、請求項６に記載の宿主細胞。
【請求項８】
ＰＲＯポリペプチドの産生方法において、請求項６に記載の宿主細胞を、前記ＰＲＯポリペプチドの発現に適した条件下で培養し、前記ＰＲＯポリペプチドを細胞培養物から回収することを含む方法。
【請求項９】
図５２８（配列番号５２８）に示すポリペプチドに対し、少なくとも８０％のアミノ酸配列同一性を有する単離されたポリペプチド。
【請求項１０】
異種アミノ酸配列に融合した請求項９に記載のポリペプチドを含んでなるキメラ分子。
【請求項１１】
前記異種アミノ酸配列がエピトープタグ配列又は免疫グロブリンのＦｃ領域である、請求項９に記載のキメラ分子。
【請求項１２】
請求項９に記載のポリペプチドに特異的に結合する抗体。
【請求項１３】
モノクローナル抗体、ヒト化抗体又は一本鎖抗体である、請求項１２に記載の抗体。
【請求項１４】
担体との組み合わせで、（ａ）請求項９に記載のポリペプチド、（ｂ）前記ポリペプチドのアゴニスト、（ｃ）前記ポリペプチドのアンタゴニスト、又は（ｄ）前記ポリペプチドに結合する抗体を含有する物質の組成物。
【請求項１５】
前記担体が製薬的に許容可能な担体である、請求項１４に記載の物質の組成物。
【請求項１６】
（ａ）、（ｂ）、（ｃ）又は（ｄ）の治療的有効量を含有してなる請求項１５に記載の物質の組成物。
【請求項１７】
容器、
前記容器上のラベル、及び
前記容器に収容された、（ａ）請求項９に記載のポリペプチド、（ｂ）前記ポリペプチドのアゴニスト、（ｃ）前記ポリペプチドのアンタゴニスト、又は（ｄ）前記ポリペプチドに結合する抗体を含有する物質の組成物、
を含み、前記容器上のラベルが前記物質の組成物が乾癬の治療に有用であることを示す、製造品。
【請求項１８】
乾癬の治療を必要とする哺乳動物に対し、（ａ）請求項９に記載のポリペプチド、（ｂ）前記ポリペプチドのアンタゴニスト、又は（ｃ）前記ポリペプチドに結合する抗体の治療的有効量を投与することを含む、哺乳動物の乾癬を治療する方法。
【請求項１９】
図５２８（配列番号５２８）に示す本発明のＰＲＯポリペプチドを含むことが疑われる試料中の前記ポリペプチドの存在を決定する方法であって、抗ＰＲＯポリペプチド抗体に前記試料を曝し、前記抗体の前記試料の成分への結合を決定することを含む方法。
【請求項２０】
哺乳動物の乾癬の診断方法であって、（ａ）哺乳動物から採取した組織細胞の試験試料中と、（ｂ）同一の細胞型の既知の正常組織細胞のコントロール試料中における図５２８（配列番号５２８）に示す本発明のＰＲＯポリペプチドをコードする遺伝子の発現レベルを検出することを含み、コントロール試料と比較して試験試料中の前記遺伝子の発現レベルが高いか又は低い場合、試験組織細胞を採取した哺乳動物における乾癬の存在が示される方法。
【請求項２１】
哺乳動物の乾癬の診断方法であって、（ａ）前記哺乳動物から採取した組織細胞の試験試料に図５２８（配列番号５２８）に示す本発明のＰＲＯポリペプチド抗ＰＲＯ抗体を接触させ、（ｂ）試験試料中における抗体とポリペプチドの間の複合体形成を検出することを含み、前記複合体の形成により試験組織細胞を採取した哺乳動物における乾癬の存在が示される方法。
【請求項２２】
図５２８（配列番号５２８）に示すＰＲＯポリペプチドの活性を抑制する化合物を同定する方法であって、前記ポリペプチドに通常は反応する細胞を（ａ）前記ポリペプチド及び（ｂ）候補化合物に接触させ、前記細胞の（ａ）に対する反応性の不足を決定することを含む方法。
【請求項２３】
図５２８（配列番号５２８）に示す本発明のＰＲＯポリペプチドをコードする遺伝子の発現を抑制する化合物の同定方法であって、前記ポリペプチドを通常は発現する細胞を候補化合物に接触させ、前記遺伝子の発現の不足を決定することを含む方法。
【請求項２４】
前記候補化合物がアンチセンス核酸である、請求項２３に記載の方法。
【請求項２５】
図５２８（配列番号５２８）に示す本発明のＰＲＯポリペプチドの活性を模倣する化合物の同定方法であって、前記ポリペプチドに通常は反応する細胞を候補化合物に接触させ、前記候補化合物に対する前記細胞の反応性を決定することを含む方法。